(57)【特許請求の範囲】
【請求項１】
吸収性コアと再利用可能外側カバーとを含む着用可能吸収性物品であって、
前記再利用可能外側カバーは、対向して配置された一対の長手方向側部であって、レッグカフ部を有する長手方向側部と、前記長手方向側部から横方向外側に広がる側部耳部と、を備え、
前記側部耳部は、端部と、前記端部に近接して配置された締結具と、を有し、
前記再利用可能外側カバーは、洗濯可能であり、
前記外側カバーの前記側部耳部が、前記物品の着用者に前記吸収性コアを間接的に固定するように構成される側部固定サブシステムを有し、
前記側部固定サブシステムは、着用者の体の様々な部分と接触するように構成されており、
前記側部固定サブシステムは、前記側部耳部を横方向に横切るとともに前記締結具から前記再利用可能外側カバーの一部分へ前記側部耳部の横方向内側に延びる側部固定部材経路を備える側部固定部材を含み、
前記側部固定部材経路は、当該側部固定部材経路に沿って配置される、張力を保持する複数の分離性の要素及び／又は別個の領域から形成されることを特徴とする、着用可能吸収性物品。
【請求項２】
前記側部固定部材が前記側部耳部に取り付けられる、請求項１に記載の着用可能吸収性物品。
【請求項３】
前記側部固定部材が前記側部耳部に埋め込まれる、請求項１に記載の着用可能吸収性物品。
【請求項４】
前記側部固定部材が前記側部耳部と一体である、請求項１に記載の着用可能吸収性物品。
【請求項５】
前記側部固定サブシステムが２つの前記側部固定部材を含む、請求項１に記載の着用可能吸収性物品。
【請求項６】
前側締結可能物品として構成される、請求項１に記載の着用可能吸収性物品。
【発明の詳細な説明】
【技術分野】
【０００１】
広くは、本開示の実施形態は着用可能吸収性物品に関する。特に、本開示の実施形態は、固定サブシステムを有する再利用可能な着用可能吸収性物品に関する。
【背景技術】
【０００２】
着用可能吸収性物品としては、再利用可能おむつ及び再利用可能失禁用下着が挙げられる。着用可能吸収性物品は、着用者により着用されている間に体外排泄物を受け取り収容することができる。そのような物品は、様々な材料を用い、多くの形状で製造できる。着用可能吸収性物品の設計は、物品を着用者に合わせる方法に影響を及ぼす可能性がある。
【発明の概要】
【発明が解決しようとする課題】
【０００３】
残念ながら、一部の着用可能吸収性物品は、着用者に適切にフィットしない。一例としては、一部の着用可能吸収性物品は着用者が着用したときたるむ又は滑り落ちる可能性がある。着用者が着用したときたるみ又は滑り落ちる着用可能吸収性物品は、物品が漏れる傾向があるため付け心地が悪く、見栄えが悪く、適切に機能しない可能性がある。
【図面の簡単な説明】
【０００４】
【図１】再利用可能外側カバーを有する前側締結可能着用可能吸収性物品の内部の平面図。
【図２】再利用可能外側カバーを有する前側締結可能着用可能吸収性物品の側部耳部を示し、この側部耳部は固定サブシステムを含む。
【図３】再利用可能外側カバーを有する前側締結可能着用可能吸収性物品の側部耳部を示し、この側部耳部は固定サブシステムを含む。
【図４】再利用可能外側カバーを有する前側締結可能着用可能吸収性物品の側部耳部を示し、この側部耳部は固定サブシステムを含む。
【図５】再利用可能外側カバーを有する前側締結可能着用可能吸収性物品の側部耳部を示し、この側部耳部は固定サブシステムを含む。
【図６】再利用可能外側カバーを有する前側締結可能着用可能吸収性物品の側部耳部を示し、この側部耳部は固定サブシステムを含む。
【図７】再利用可能外側カバーを有する前側締結可能着用可能吸収性物品の側部耳部を示し、この側部耳部は固定サブシステムを含む。
【図８】再利用可能外側カバーを有する前側締結可能着用可能吸収性物品の側部耳部を示し、この側部耳部は固定サブシステムを含む。
【図９】再利用可能外側カバーを有する前側締結可能着用可能吸収性物品の側部耳部を示し、この側部耳部は固定サブシステムを含む。
【図１０】再利用可能外側カバーを有する前側締結可能着用可能吸収性物品の側部耳部を示し、この側部耳部は固定サブシステムを含む。
【発明を実施するための形態】
【０００５】
本開示の実施形態は、着用者に適切に合わせる固定サブシステムを有する着用可能吸収性物品を含む。着用可能吸収性物品は、再利用可能な着用可能吸収性物品として又は使い捨て着用可能吸収性物品として構成されることができる。これらの物品の設計は、着用者が着用したとき物品がたるむ又は滑り落ちるのを防止するのを助ける。その結果、本開示の着用可能吸収性物品は、物品が着用者の適所に留まりかつ漏れない傾向があるため、付け心地が良く、見栄えが良く、適切に機能することができる。
【０００６】
吸収性物品としては、生理用品、衛生用品などの製品が挙げられる。一部の吸収性物品は着用可能である。着用可能吸収性物品は、着用者の体の胴体下部上又はその周囲に着用するよう構成される。着用可能吸収性物品の例として、おむつ、トレーニングパンツ、及び失禁用下着が挙げられる。
【０００７】
着用可能吸収性物品は、吸収性コアを含むことができる。本開示全体を通して、用語、吸収性コアは、着用者の体から物品に受け取られる排泄物を吸収するよう構成される着用可能吸収性物品の一部を指す。吸収性コアは、当業者により理解されるであろう種々の方法で構成されることができる。吸収性コアは、木材パルプ及び／又は超吸収体粒子などの１つ以上の吸収性材料を含むことができ、当該技術分野において既知のように、体外排泄物を受け取り、収容し、貯蔵し、及び／又は処理するための１つ以上の更なる組成物、材料、又は構造体を含んでもよい。更に、吸収性コアは、ローション、香料、及び感覚剤などの１つ以上の組成物を、組立品の外側表面上及び／又は組立品内に含んでもよい。吸収性コアは、バケツ型吸収性コア、取り外し可能吸収性コア、交換可能吸収性コアなどとして構成されてよい。吸収性コアは、液体透過性トップシート、獲得層、分配層、貯蔵層、及び液体不透性バックシートなどの１つ以上の層を含む、吸収性コア組立品の部分であってもよい。吸収性コア組立品はまた、１つ以上の様々な構造体、例えばバリアレグカフ、糞便収容区画、湿り度インジケータ、物品内にコアを保持する締結具、廃棄用テープなどを含んでもよい。
【０００８】
様々な実施形態において、吸収性コアは、米国特許出願第１２／１４１，１２２号、同第１２／１４１，１２４号、同第１２／１４１，１２６号、同第１２／１４１，１２８号、同第１２／１４１，１３０号、同第１２／１４１，１３２号、同第１２／１４１，１３４号、同第１２／１４１，１４１号、同第１２／１４１，１４３号、及び同第１２／１４１，１４６号に記載されるように構成されてよく、これらはそれぞれ参照により本明細書に組み込まれる。これらの特許出願には、一般に、超吸収体粒子と併用されるエアフェルト又は他の形状のセルロース繊維の必要性、及びその含有を最小化する又は排除する吸収性コア構成体が記載されている。
【０００９】
着用可能吸収性物品は、外側カバーも含むことができる。本開示全体を通して、用語、外側カバーは、吸収性コアの縁を越えて広がり、たいていは着用者の臀部の大部分を覆い、一般的に下着の外観に似た形状である、物品の外側表面（バックシートと呼ぶこともある）を形成する着用可能吸収性物品の一部を指す。外側カバーは、本明細書に記載するような様々な方法で構成することができる。様々な実施形態において、外側カバーは、着用可能吸収性物品のシャーシと一致し、及び／又はシャーシを画定できる。
【００１０】
一部の吸収性物品は使い捨てである。使い捨て吸収性物品は、単回使用後に廃棄されるよう構成される（例えば、再利用、再生、又は洗濯することを意図しない）。使い捨て吸収性物品の例として、使い捨ておむつ、使い捨てトレーニングパンツ、使い捨て失禁用下着、並びに女性用ケアパッド及びライナーが挙げられる。
【００１１】
一部の吸収性物品は再利用可能である。用語、再利用可能は、本明細書で使用するとき、言及された材料、構成要素、又は吸収性物品の全てが、２回以上の使用サイクル（例えば、おむつ交換）で再生及び／又は再利用されるよう構成されることを意味する。一部の再利用可能吸収性物品では、本明細書で定義し記載されるように、物品の１つの部分、又は複数の部分、又は実質的に全部、又は全部が、洗濯可能又は耐洗濯性であってよい。例として、着用可能吸収性物品は、洗濯可能な又は耐洗濯性の外側カバーを含むことができる。他の再利用可能吸収性物品では、物品の１つの部分、又は複数の部分、又は実質的に全部、又は全部が、洗濯可能又は耐洗濯性でなくてよい。例えば、吸収性物品は、おむつなどの使い捨て物品で使用される不織布などの材料を用いることにより、再利用可能吸収性物品として構成することができる。
【００１２】
様々な実施形態において、再利用可能外側カバーは、様々な機能を果たすよう構成することができ、物品の着用者及び／又は着用者の介護人に、様々な利点をもたらす。様々な実施形態において、再利用可能外側カバーは、液体不透性を提供するよう構成することができ、吸収性物品が体外排泄物を収容するのに役立てることができる。様々な実施形態において、再利用可能外側カバーは、蒸気透過性（例えば、通気性）を提供するよう構成することができ、着用者が健康な皮膚を維持するのに役立てることができる。様々な実施形態において、再利用可能外側カバーは、１つ以上の特定の方向に、弾性的延伸性、非弾性的延伸性、及び／又は非延伸性であるよう構成することができる。様々な実施形態において、少なくとも再利用可能外側カバーの一部、例えば内側層の一部は、吸収性コアから少量の漏れが起こるのを制御するために、吸収性であってよい。
【００１３】
具体的には、その再利用可能外側カバーの１つの部分、又は複数の部分、又は実質的に全部、又は全部は、物品が着用者に適用されている間、物品が着用者により着用されている間、及び物品が体外排泄物を収容している間、特定の程度まで延び、かつ弛緩するよう構成することができる。再利用可能外側カバーは、物品が着用者に適用されている間、容易に延びるよう構成され、適用の促進に役立てることができる。再利用可能外側カバーはまた、物品が着用されている間、十分に延びるよう構成され、快適なフィット感を提供しながらの着用者の動きへの対応に役立てることもできる。再利用可能外側カバーは更に、十分な張力で適切に弛緩する（すなわち縮む）よう構成され、物品が着用されている間、フィット感を維持し、吸収性コアの指示に役立てることができる。本明細書に開示される任意の再利用可能外側カバーは、本明細書に開示される着用可能吸収性物品の任意の実施形態で利用できると考えられる。
【００１４】
用語、洗濯可能は、本明細書で使用するとき、言及された材料、構成要素、又は吸収性物品の全てが、目的とする機能性及び／又は用途に好適ではない状態になるような物品の外観又は性能の顕著な劣化がなく、頻回（例えば、少なくとも１０回、いくつかの実施形態では５０回まで、別の実施形態では５０回超）の洗濯機による洗浄及び乾燥機による乾燥サイクル（本明細書に記載するように、ＡＡＴＣＣ試験法１２４−２００１に定義される）に耐えるよう構成されることを意味する。本明細書で使用するとき、用語「洗濯」又は「洗濯サイクル」は、上述の、洗濯機による洗浄及び乾燥機による乾燥のサイクルを意味する。手洗い及び自然乾燥は、典型的には洗濯機による洗浄及び乾燥機による乾燥よりも、吸収性物品に対する負荷が顕著に少ないため、洗濯機で洗い、乾燥機で乾燥できる材料、構成要素、又は物品は、少なくとも同じサイクル回数は、手洗い及び自然乾燥も可能であるはずと予想される。例として、再利用可能な着用可能吸収性物品は、洗濯可能な外側カバーを含むことができる。洗濯可能物品は、衣類の種類と同様に、頻回の洗浄後に使用するために適するよう設計される。例として、洗濯可能外側カバーは、２０１０年１月１４日に出願された、代理人整理番号１１２５６６の米国非暫定的特許出願、名称「Ｒｅｕｓａｂｌｅ  Ｏｕｔｅｒ  Ｃｏｖｅｒｓ  ｆｏｒ  Ｗｅａｒａｂｌｅ  Ａｂｓｏｒｂｅｎｔ  Ａｒｔｉｃｌｅｓ」に記載されるように構成されてよく、これは参照により本明細書に組み込まれる。
【００１５】
用語、耐洗濯性は、本明細書で使用するとき、言及された材料、又は構成要素、又は吸収性物品の全てが、目的とする機能性及び／又は用途に好適ではない状態になるような物品の外観又は性能の顕著な劣化がなく、数回（例えば、少なくとも１回、いくつかの実施形態では５回まで、別の実施形態では５回超）の機械による洗浄及び乾燥サイクル（本明細書に記載するように、ＡＡＴＣＣ試験法１２４−２００１に定義される）に耐えるよう構成されることを意味する。例として、再利用可能な着用可能吸収性物品は、耐洗濯性の外側カバーを含むことができる。耐洗濯性物品は、一般に、洗濯可能物品よりも少ない洗濯サイクル後に劣化する。例えば、耐洗濯性材料は、５回又は１０回の洗濯サイクル後に、外観又は性能が顕著に劣化する場合がある。例として、耐洗濯性外側カバーは、２０１０年１月１４日に出願された、代理人整理番号１１２５６６の米国非暫定的特許出願、名称「Ｒｅｕｓａｂｌｅ  Ｏｕｔｅｒ  Ｃｏｖｅｒｓ  ｆｏｒ  Ｗｅａｒａｂｌｅ  Ａｂｓｏｒｂｅｎｔ  Ａｒｔｉｃｌｅｓ」に記載されるように構成されてよく、これは参照により本明細書に組み込まれる。
【００１６】
図１は、前側締結可能着用可能吸収性物品１０１の内部（着用者に面する側）の平面図を示す。本開示は、前側締結可能着用可能吸収性物品に関するが、本開示はまた、本明細書に記載するような着用可能吸収性物品の別の実施形態も考えられ、この場合着用可能吸収性物品は、後側締結可能又は側面締結可能である。したがって、前側締結可能と説明される本開示の着用可能吸収性物品の各実施形態は、当業者により理解され得るように、後側締結可能としても構成できる。
【００１７】
図１では、長手方向中心線１１３及び横方向中心線１１７は、着用可能吸収性物品１０１の部分の相対的な位置を参照するための基準線を提供する。第１部分が第２部分よりも長手方向中心線１１３に近接するとき、第１部分は、第２部分に対して横方向内側１１２にあると考えることができる。同様に、第２部分は第１部分から横方向外側１１４にあると考えることができる。第３部分が第４部分よりも横方向中心線１１７に近接するとき、第３部分は、第４部分に対して長手方向内側１１６にあると考えることができる。同様に、第４部分は、第３部分から長手方向外側１１８にあると考えることができる。図１は、着用可能吸収性物品１０１に関し、横方向内側１１２、横方向外側１１４、長手方向内側１１６、及び長手方向外側１１８の相対方向を示す矢印を含んでいる。本開示全体を通して、特に指定のない限り、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１７に対してほぼ又は完全に平行である寸法、測定値、線、又は方向を指す。
【００１８】
着用可能吸収性物品１０１は、物品１０１の最外縁を画定する外側カバー１２１を含む。外側カバー１２１は、内側層１２１−Ａ及び外側層１２１−Ｂを備え、図１では、内側層１２１−Ａを示し、外側層１２１−Ｂを示すために部分的に剥離されている。外側カバー１２１は、前側１２３及び後側１２５も含む。様々な実施形態において、外側カバー１２１は、洗濯可能外側カバー、及び／又は、耐洗濯性外側カバーなどの、本明細書に開示される任意の再利用可能外側カバーとして構成されてよいと考えられる。
【００１９】
前側１２３は、着用可能吸収性物品１０１が着用者によって着用されるときに、一般に着用者の腹部に近接して及び／又はその下に配置されている着用可能吸収性物品１０１の一部分である。「前側」への言及は、その言及の前後関係に応じて、前側それ自体、前側の要素の１つの部分、若しくは複数の部分、若しくは実質的に全部、若しくは全部、及び／又は前側の配置を意味することができる。後側１２５は、着用可能吸収性物品１０１が着用者によって着用されるときに、一般に着用者の背部に近接して及び／又はその下に配置されている着用可能吸収性物品１０１の一部分である。「後側」への言及は、その言及の前後関係に応じて、後側それ自体、後側の要素の１つの部分、若しくは複数の部分、若しくは実質的に全部、若しくは全部、及び／又は後側の配置を意味することができる。着用可能吸収性物品１０１の横方向中心線１１７は、前側１２３と後側１２５との間に境界を形成する。上記の前側及び後側の用語は、特に指示がない限り、本開示全体を通して着用可能吸収性物品に使用される。着用可能吸収性物品１０１はまた、前側１２３から後側１２５にかけて広がる吸収性コア１２７も含む。
【００２０】
外側カバー１２１は、後側ウエスト縁１０６及び後側弾性ウエストバンド１０７も含む。後側弾性ウエストバンド１０７は、後側ウエスト縁１０６に近接して配置され、後側１２５の一部を横方向に広がる。外側カバー１２１は、前側ウエスト縁１０８も含む。様々な実施形態において、外側カバーは、前側ウエスト縁に近接して配置され、前側の一部を横方向に広がる前側弾性ウエストバンドを備えてよい。外側カバー１２１は、物品１０１が着用されるとき、着用者の脚を少なくとも部分的に取り囲む、レッグカフ部１８６を有する長手方向側部も含む。弾性レッグバンド１８７は、レッグカフ部１８６に近接して配置され、前側１２３の一部、及び後側１２５の一部にまで長手方向に広がる。
【００２１】
外側カバー１２１は更に、側部１５２、側部耳部１５３、締結具１５４を含む。側部１５２は、後側１２５内に、外側カバー１２１の最も狭い部分から横方向外側に配置される。側部１５２は、長手方向中心線１１３の右側に図示されているが、外側カバー１２１は、別の側部を、長手方向中心線１１３の左側に同一の形状で備えてもよい。側部１５２は、参考までに示される極細線で示すように、外側カバー１２１の長手方向側部から横方向外側に広がる外側カバー１２１の部分であり側部耳部１５３を含む。様々な実施形態において、側部耳部の１つの部分、又は複数の部分、又は実質的に全部、又は全部は、外側カバーの一部で形成されてよく、又は外側カバーに取り付けられる別個の要素で形成されてよい。外側カバー１２１は、反対側の一部として第２の側部耳部を含む。各側部耳部１５３は、後側１２５を前側１２３に締結するための、締結具１５４を含む。各側部耳部１５３は、図２〜１０の実施形態に示されるように、固定サブシステムを含むように構成されてよい。
【００２２】
外側カバー１２１は、後側ウエスト縁１０６から前側ウエスト縁１０８まで長手方向中心線に沿って計測される、総長手方向長さ１９１を含む。外側カバー１２１は、後側１２５の最も広い部分に沿って測定される、後側ウエスト区域１９３の総横方向幅も含む。外側カバー１２１は更に、外側カバー１２１の後側耳部１５４上の締結具１５４の縁に沿う、横方向内側に最も遠い点間で測定される、締結具間横方向幅１９５を含む。寸法１９１、１９３、及び１９５は、本明細書に記載される試験方法で測定される寸法である。当業者により理解されうるように、パンツタイプの着用可能吸収性物品用の外側カバーにおいて、類似の寸法が同様に配置されてよい。
【００２３】
着用可能吸収性物品を着用者に定置する際、この物品は、着用者を基準にして初期位置に定置される。この初期位置の位置は、物品の寸法、着用者の体の形状、及び物品が着用者に定置される方法などの多くの要因により決めることができる。例えば、締結可能なおむつの初期位置は、おむつが着用者の周りに締結される位置によってある程度決めることができる。しかし、着用可能吸収性物品が着用者によって着用されるとき、多くの力が物品に影響を及ぼし得る。
【００２４】
これらの力の一部は、物品を着用者に接して動かす傾向を持つ場合がある。本開示全体を通して、用語「負荷」とは、着用者に接した位置から着用可能吸収性物品を動かす傾向がある力を指す。第１に、着用可能吸収性物品は、物品の着用者への装着に由来する様々な負荷を受ける場合がある。例として、物品を締結することに由来する一部のあらかじめ加えられた力は、物品を下方に動かすことができる。第２に、着用可能吸収性物品は、物品の環境に由来する様々な負荷を受ける場合がある。例えば、着用者の衣類は物品を引っ張る可能性がある。第３に、着用可能吸収性物品は、着用者の動きに由来する様々な負荷を受ける場合がある。例えば、着用者が位置を変え又は動き回るとき、着用者の体は物品の一部に押しかかり又は物品に動的な力をもたらす場合がある。第４に、重力は、着用可能吸収性物品を着用者に対して下方に動かす場合がある。物品は、物品の質量及び物品に収容された任意の排泄物の質量が原因で、重力に由来する有意な負荷を受け場合がある。これらの負荷は、着用可能吸収性物品に影響を及ぼす場合があり、着用者に対して物品を動かす傾向にある。
【００２５】
しかし、着用可能吸収性物品に影響を及ぼす他の力は、物品を着用者の所定の位置に保持する傾向があり得る。第１に、着用可能吸収性物品は、物品の着用者への装着に由来する様々な保持力を受ける場合がある。例として、物品を締結することに由来する他のあらかじめ加えられた力は、物品を上方に動かすことができる。第２に、着用可能吸収性物品の一部は、着用者の皮膚との接触に由来する摩擦推力を受ける場合がある。例えば、物品は、物品のウエストバンドが着用者の腰部周りに及びそれに対して巻き付く場合、摩擦推力を受ける場合がある。第３に、着用可能吸収性物品の一部は、着用者の体の様々な外面の身体構造上の特徴との接触に由来する反作用の力を受ける場合がある。例として、物品は、物品が着用者の尻部の突出した部分と接触する場合、反作用の力を受けることができる。この例では、反作用の力は、物品を押し上げることにより重力に逆らって反応する。これらの保持力は、着用可能吸収性物品に影響を及ぼすことができ、物品を着用者の所定の位置に保持する傾向がある。
【００２６】
ある力は着用可能吸収性物品を着用者に対して下方に動かす傾向があり、他の力は物品を着用者に対して上方に保持する傾向があるので、物品の一部又は全部は、そのような力が均衡するかどうかにより動かされる又は動かされない場合がある。物品を上方に保持する傾向がある力を、物品を下方に動かす傾向がある力と等しくできる場合、物品は、着用者の所定の位置に保持することができる。物品を下方に動かす傾向がある力が物品を上方に保持する傾向がある力より大きい場合、物品の一部又は全部は、着用者に対して定位置から下方に動かすことができる。時として、力が着用可能吸収性物品の一部又は全部を下方に動かす場合があり、その結果たるみ及び／又は滑り落ちが生じる。
【００２７】
しかしながら、本開示の実施形態は、着用者が着用したときに、着用可能吸収性物品がたるむ及び／又は滑り落ちるのを防止するのを助けることができる。着用可能吸収性物品は、固定サブシステムを含むことができる。様々な実施形態では、固定サブシステムは、物品に作用する負荷の少なくとも一部を収集するように構成されることができる。固定サブシステムはまた、それ自体を着用者の体に固定するように構成されることもできる。このようにして、固定サブシステムは、固定することにより得られる保持力で収集された負荷の、少なくとも一部の均衡を保つことができる。得られた保持力で収集された負荷を均衡させることにより、固定サブシステムは、着用可能吸収性物品を着用者の所定の位置に保持することを、少なくとも補助することができる。
【００２８】
固定サブシステムは、着用可能吸収性物品に作用する負荷を収集し、それ自体を着用者の体に固定し、かつ固定することにより得られる保持力で収集された負荷の均衡を保つように構成されることができる。本開示全体を通して、用語「固定された」とは、物品が着用者によって着用される間に、着用可能吸収性物品の固定サブシステムの一部又は全体と着用者の体の一部又は全体との間で構成される関係を指す。固定サブシステムの要素が着用者の体の一部分に固定されている場合、物品が着用者によって着用されている間、要素の少なくとも一部は体の一部分と直接的に及び／又は間接的に接触し、固定サブシステムは要素と当該一部分との間の相対的な動きを少なくとも減ずる及び／又は防止するように構成される。
【００２９】
固定サブシステムは、着用者の体の様々な部分に接触するように構成された固定システムの１つ以上の要素により着用者の体に固定されることができる。例えば、固定サブシステムは、着用者の体の前側、後側、及び／又は側部周りの少なくとも途中に１つ以上の固定システム要素を巻き付けることにより少なくとも部分的に固定されることができ、それにより摩擦及び／又は反作用の力をもたらす。
【００３０】
一部の実施形態では、比較的小さい曲率半径を有する体の一部は、より大きい摩擦推力をもたらすことができ、それは要素が、そのような部分の周りによりしっかりと巻き付く傾向があり得るためである。これは、曲面の周囲に巻かれ、張力下に置かれる可撓性材料の物理特性による。こうした場合、引張力が可撓性材料を張力下に置くため、可撓性材料は、曲面と垂直であり、曲面上で内側に向う垂直力を生じる。基本的なキャプスタン（Capstan）の公式により、垂直力は曲面の半径で除した引張力に比例する。したがって、所定の引張力では、半径が小さくなるに従って、垂直力が大きくなる。
【００３１】
また、例として、固定サブシステムは、１つ以上の固定サブシステム要素を着用者の体の突出した部分上（on）、その周り、及び／又はその上（above）に固定することにより少なくとも部分的に固定されることができ、それにより摩擦及び／又は反作用の力をもたらす。一部の実施形態では、比較的大きい水平突出部を有する体の一部は、より大きい反作用の力をもたらすことができるが、それは要素が、かかる部分をより確実に吊るし及び／又はそれに跨る傾向があり得るためである。
【００３２】
負荷を収集し、それ自体を着用者の体に固定し、様々な力の均衡を保つため、固定サブシステムは１つ以上の固定サブシステム要素を含むように構成されることができる。一部の実施形態では、固定サブシステム要素は、張力を保持するように構成された細長い要素であることができる。固定サブシステム要素は、固定システムが含まれる着用可能吸収性物品の着用者の体の外表面上の様々な経路に従うことができる。これらの外表面の形状は、経路の形状に影響を及ぼすことができる。経路の形状は、同様に、固定サブシステム要素の構成に影響を及ぼすことができる。
【００３３】
人間の体の多くの外表面は、人間の体の尻部の周りの曲線などの湾曲した形状を含む。体は様々な寸法及び形状を有するので、異なる人間の体は異なる曲線を含むことができる。一部の実施形態では、湾曲経路に従う固定サブシステム要素の一部又は全部は、測地線であることができる。
【００３４】
用語、測地線とは、湾曲した幾可学的形状により説明される数学的特性を有する理論的な要素を指す。この理論的な文脈では、測地線は、曲面上の曲線であり、この曲線は、その曲面から見たとき、左又は右に向きを変えず真っ直ぐに移動しているように見受けられる。換言すれば、測地線を、摩擦のない曲面上にピンと引っ張られた線として考えることができる。平面上では、２つの点間の最も短い距離は直線である。曲面上では、２つの点間の最も短い距離は測地線である。測地線及びそれらの数学的特性の更なる情報は、微分幾何学及び一般相対性理論のテキスト、例えば、バレットオーネイル（Barrett O’Neill）、初等微分幾何学（Elementary Differential Geometry）、７章（アカデミックプレス（Academic Press）、２００６年）及びジェイムスフォスター（James Foster）＆デイビットＪ．ナイチンゲール（David J. Nightingale）、一般相対性の短コース（A Short Course in General Relativity）、２．１章（スプリンガー・サイエンス・アンド・ビジネスメディア（Springer Science and Business Media）、２００６年）に見出すことができる。
【００３５】
固定サブシステム要素の一部又は全部は、測地線として構成されることができる。本開示全体を通して、固定サブシステム要素は、測地線として記載されるが、これらの説明は、そのような固定サブシステム要素が理論的な測地線要素に対する緊密な近似として構成されることを意味することを意図している。当業者により理解されるように、実際の要素は、少なくともある厚さを有し、必ず少なくともいくらかの摩擦を受け、かつ必ず少なくともいくらかの小さい非軸線方向の外部の力を受けるので、理論的な測地線要素と全く同じようには挙動できない。
【００３６】
要素は着用者の体の外表面上の様々な凸部湾曲経路に従うので、固定サブシステム要素の一部又は全部は、測地線として構成されることができる。張力の負荷を受ける（例えば、軸線方向の負荷）固定サブシステム要素は、張力が要素を凸部湾曲経路に適合させることができるので、測地線として構成されることができる。点負荷が測地線である固定サブシステム要素に加えられると、測地線に対してインライン以外の角度で、その点負荷は当初の測地線を変形させ、当初の測地線を固定サブシステム要素の２つの新しい測地線に分割する。
【００３７】
同様に、測地線として張力で構成された固定サブシステム要素が人間の体の一般に凸部外表面の凹部分上を通過する場合、要素は凹部分に橋をかけ、固定サブシステム要素を凹部分のいずれかの凸部側部上の２つの測地線に分離する。更に、固定サブシステム要素の橋かけ部分も、空間における直線であることから測地線である。
【００３８】
測地線である固定サブシステム要素が、要素の長さの少なくとも一部分に沿って配置される負荷を受ける場合、測地線に対してインラインである角度以外では要素はもはや測地線として挙動せず、代わりに本明細書で「幾何学的固定」と呼ばれる方法で機能しはじめる。固定サブシステムは、１つ以上の固定サブシステム要素を含むことができ、その少なくとも一部は測地線として構成されることができる。
【００３９】
固定サブシステム要素の一種は、側部固定部材（ＳＡＭ：side anchoring member）である。ＳＡＭは、着用可能吸収性物品の固定サブシステムの画定されたＳＡＭ経路に沿って配置される、１つ以上の物理的な、張力を保持する要素及び／又は領域である。ＳＡＭは２つの画定された末端部と、２つの末端部の間の中間部と、その一方の末端部から他方の末端部までの画定された長さとを有する。ＳＡＭは１つ以上の幅を有することができ、幅のそれぞれはその画定された長さより短い。ＳＡＭはまた、その一方の末端部から他方の末端部まで、その幅の中心のＳＡＭ経路に沿って走る中心線を有する。ＳＡＭ経路は、着用者の体の下部胴体をほぼ又は完全に取り囲むことができる。ＳＡＭ経路の少なくとも一部分は、着用可能吸収性物品の側部を通過する。一部の実施形態では、ＳＡＭは着用可能吸収性物品の側部内に包含されることができる。更に、様々な実施形態では、ＳＡＭは着用可能吸収性物品のサイドパネル又は側部耳部内に包含されることができる。
【００４０】
着用可能吸収性物品の側部は、様々な方法で画定され得る。着用可能吸収性物品の側部は、物品の前側の一部分及び物品の後側の一部分を含むことができる。時として、着用可能吸収性物品の側部は、物品の長手方向中心線から横方向にオフセットされた物品の一部分の中に配置されると考えることができる。本開示全体を通して、特に指定のない限り、着用可能吸収性物品の側部は、物品の吸収性コアの長手方向縁部から横方向外側にある物品の一部分の中に配置される。場合によっては、着用可能吸収性物品の側部は、物品のシャーシの最も狭い部分から横方向外側にある物品の一部分に配置されると考えることができる。様々な場合において、着用可能吸収性物品の側部は、物品のサイドパネル又は側部耳部に配置されるものと考えることができる。本開示の実施形態は、着用可能吸収性物品の側部のこれらの定義のいずれかを用いて使用することができる。
【００４１】
着用可能吸収性物品の固定サブシステムでは、１つ以上のＳＡＭが着用者の体の様々な部分と接触するように構成され、固定サブシステムを体に固定することを、少なくとも補助することができる。ＳＡＭは、シャーシ、締結具、レッグカフなど着用可能吸収性物品の１つ以上の要素から収集された負荷の少なくとも一部を受けることができる。ＳＡＭはまた、保持力も提供し、体との接触を介して収集された負荷を均衡させるのを補助することもできる。これらの負荷及び力の均衡を保つ際、ＳＡＭは固定システムの張力を保持する。このように均衡させると、固定サブシステムが、着用可能吸収性物品を着用者の所定の位置に保持することを少なくとも補助することを可能にし得る。
【００４２】
ＳＡＭは様々な形態に構成され得る。一部の実施形態では、ＳＡＭは締結具などの多くの要素を含むことができる。ＳＡＭの一部又は全部は、直線である、湾曲される、角度を付けられる、セグメント化される、若しくはその他の形状、又はこれらの形状の任意の組み合わせであることができる。ＳＡＭ経路は一体型の連続経路であることができ、又はＳＡＭ経路に沿って配置された多くの分離性の要素及び／又は別個の領域から形成することができる。例として、ＳＡＭは、サイドパネル又は側部耳部を通る材料の実質的に平行のストランドから形成することができ、若しくはサイドパネル又は側部耳部に取り付けられた材料の一連の片から形成することができ、又は漸増式に伸長されたサイドパネル又は側部耳部に未伸長領域を配置することにより形成することができる。
【００４３】
ＳＡＭの一部又は全部が、着用可能吸収性物品の１つ以上の要素に、構造的に付随することができる。例として、ＳＡＭの一部又は全部は、着用可能吸収性物品の１つ以上の要素と別個であり、及び／又はこれに接合され、及び／又はこれに取り付けられ、及び／又はこれに埋め込まれ、及び／又はこれと一体であることができる。本開示全体を通して、用語「接合した」とは、要素を直接他の要素に貼り付けることにより要素が別の要素に直接接続される構成、及び要素を中間体部材に貼り付け、そしてそれが順次他の要素に貼り付けられることにより要素が別の要素に間接的に固定される構成を指す。
【００４４】
ＳＡＭは、固定システムの張力を保持するのに好適な任意の材料から作製されることができる。ＳＡＭの一部又は全部は、様々な弾性、非弾性、伸張性、非伸張性、伸縮性、及び／又は非伸縮性材料の１つ以上、及び／又は任意のその他の好適な材料、並びに／あるいはこれらの材料のいずれかの組み合わせを含むことができる。例として、ＳＡＭの一部又は全部は、様々なエラストマー材の一種類以上、例えば押出しフィルム、弾性体、不織布、スクリム、スロットコーティングされたフィルム、スプレー若しくはメルトブロー繊維、及び／又は印刷された弾性体、及び／又は任意のその他の好適なエラストマー材、並びに／あるいはこれらの材料のいずれかの組み合わせを含むことができる。更なる例として、ＳＡＭは、ゴム又は天然弾性部材から形成され、再利用可能外側カバーに縫い付けられてよい。
【００４５】
また例として、要素（１つ又は複数）の１つ以上が、弾性不織布と、弾性フィルム及び延伸性不織布と、予備伸張される延伸性フィルム及び弾性不織布と、漸増的に伸張するように収縮させた弾性ストランドと、ゼロひずみ積層体と構成される、並びに／又はこれらの及び／若しくは他の組み合わせで構成される実施形態など、ＳＡＭの一部又は全てが、着用可能吸収性物品の１つ以上の要素の一部又は全てに構造的に付随し得る。一部の実施形態において、ＳＡＭは１つ以上の積層材料を含むことができる。様々な実施形態において、ＳＡＭを、当業者により理解されるであろう様々な坪量、化学的性質及び／又は漸増式な伸長で形成することができる。
【００４６】
ＳＡＭは、任意の好適な幅又は厚さであることができる。例えば、ＳＡＭは、幅５ｍｍ〜約５０ｍｍ、又はこの範囲内の任意の幅であることができる。ＳＡＭの幅及び／又は厚さは、ＳＡＭの１つ以上の一部にわたって又はＳＡＭの全長にわたってほぼ又は完全に均一であることができ、あるいはＳＡＭの長さにわたって変化することができる。一部の実施形態において、ＳＡＭは約１０ｍｍ、約２０ｍｍ、又は３０ｍｍのほぼ均一な幅を有することができる。本開示全体を通して、特に指定のない限り、ＳＡＭの幅は、ＳＡＭの中心線と垂直な方向の経路の一方の側縁から経路の他方の側縁までの、経路を横切る最も大きな全体寸法として、ＳＡＭの経路上の特定の点で測定される。
【００４７】
上記のように、固定サブシステムは負荷及び力の均衡を保つことができるので、米国特許出願第１１／５９９，８５１号に記載のような着用可能吸収性物品用の固定システムの機能と同様の機能を実行する。その結果、固定サブシステムは、着用可能吸収性物品用の固定システムと同様の利益を提供することができ、着用者が着用したとき物品がたるむ又は滑り落ちるのを防止するのを助ける。しかしながら、固定サブシステムは、着用可能吸収性物品内に存在するという範囲において固定システムと異なる。着用可能吸収性物品の固定サブシステムにおいて、固定サブシステムの要素のいずれも、着用可能吸収性物品が着用者によって着用されたときに、着用者の下部胴体を実質的に又は完全に取り囲むことはない。更に、固定サブシステムは、着用可能吸収性物品の特定の画定された領域内に包含される。例えば、着用可能吸収性物品の側部固定サブシステムは、使い捨て着用可能吸収性物品の側部の内部に収容される。
【００４８】
図２〜１０は、再利用可能外側カバーを有する前側締結可能着用可能吸収性物品の側部耳部を示し、各側部耳部は固定サブシステムを含む。図２〜１０の各実施形態の要素のそれぞれは、下記を除いて、図１の実施形態の同様の番号の要素と同様に構成される。本開示全体を通じて、「同様の番号」は、要素のラベルの番号の下２桁が同じである、要素のラベル間の対応を示すことを意図されている。要素のラベルは、図の番号に相当する数値接頭辞が異なっていても、特定の実施形態に相当する接頭辞が異なっていても、同様の番号と見なされる。
【００４９】
図２は、締結具２５４及び固定サブシステム２６１を有する側部耳部２５３を示し、側部耳部２５３は再利用可能外側カバー２２１の後部から剥離されて示されている。固定サブシステム２６１は、部分的に同一の広がりを持つ経路を有する２つのＳＡＭを含む。第１  ＳＡＭは、個別経路として第２  ＳＡＭに対して長手方向内側に始まり、横方向外側かつ長手方向外側に広がり、部分的に第２  ＳＡＭと同一に広がり、次に個別経路として続き、締結具２５４まで横方向外側かつ長手方向外側に広がり、第２  ＳＡＭから長手方向外側で終結する。第２  ＳＡＭは、個別経路として第１  ＳＡＭから長手方向外側に始まり、横方向外側かつ長手方向内側に広がり、部分的に第１  ＳＡＭと同一に広がり、次に個別経路として続き、締結具２５４まで横方向外側かつ長手方向内側に広がり、第１  ＳＡＭに対して長手方向内側で終結する。
【００５０】
図３は、締結具３５４及び固定サブシステム３６１を有する側部耳部３５３を示し、側部耳部３５３は再利用可能外側カバー３２１の後部から剥離されて示されている。固定サブシステム３６１は、部分的に同一の広がりを持つ経路を有する２つのＳＡＭを含む。第１  ＳＡＭは、第２  ＳＡＭと同一の広がりを持って始まり、横方向内側に広がり、次に個別経路として続き、締結具３５４まで横方向外側かつ長手方向外側に広がり、第２  ＳＡＭから長手方向外側で終結する。第２  ＳＡＭは、第１  ＳＡＭと同一の広がりを持って始まり、横方向内側に広がり、次に個別経路として続き、締結具３５４まで横方向外側かつ長手方向内側に広がり、第１  ＳＡＭに対して長手方向内側で終結する。
【００５１】
図４は、締結具４５４及び固定サブシステム４６１を有する側部耳部４５３を示し、側部耳部４５３は再利用可能外側カバー４２１の後部から剥離されて示されている。固定サブシステム４６１は、部分的に同一の広がりを持つ経路を有する２つのＳＡＭを含む。第１  ＳＡＭは、個別経路として第２  ＳＡＭに対して長手方向内側に始まり、横方向外側かつ長手方向外側に広がり、次に部分的に第２  ＳＡＭと同一に広がり、締結具４５４まで横方向外側に広がる。第２  ＳＡＭは、個別経路として第１  ＳＡＭから長手方向外側に始まり、横方向外側かつ長手方向内側に広がり、次に部分的に第１  ＳＡＭと同一に広がり、締結具４５４まで横方向外側に広がる。
【００５２】
図５は、締結具５５４及び固定サブシステム５６１を有する側部耳部５５３を示し、側部耳部５５３は再利用可能外側カバー５２１の後部から剥離されて示されている。固定サブシステム５６１は、１つのＳＡＭを含む。ＳＡＭは、後部に始まり、締結具５５４まで横方向外側に広がる。
【００５３】
図６は、締結具６５４及び固定サブシステム６６１を有する側部耳部６５３を示し、側部耳部６５３は再利用可能外側カバー６２１の後部から剥離されて示されている。固定サブシステム６６１は、１つのＳＡＭを含む。ＳＡＭは、後部に始まり、締結具６５４まで横方向外側かつ長手方向外側に広がる。
【００５４】
図７は、締結具７５４及び固定サブシステム７６１を有する側部耳部７５３を示し、側部耳部７５３は再利用可能外側カバー７２１の後部から剥離されて示されている。固定サブシステム７６１は、１つのＳＡＭを含む。ＳＡＭは、後部に始まり、締結具７５４まで横方向外側かつ長手方向内側に広がる。
【００５５】
図８は、締結具８５４及び固定サブシステム８６１を有する側部耳部８５３を示し、側部耳部８５３は再利用可能外側カバー８２１の後部から剥離されて示されている。固定サブシステム８６１は、１つのＳＡＭを含む。ＳＡＭは、後部に始まり、横方向外側かつ長手方向外側に広がり、次に締結具８５４まで横方向外側かつ長手方向内側に広がる。
【００５６】
図９は、締結具９５４及び固定サブシステム９６１を有する側部耳部９５３を示し、側部耳部９５３は再利用可能外側カバー９２１の後部から剥離されて示されている。固定サブシステム９６１は、１つのＳＡＭを含む。ＳＡＭは、後部に始まり、横方向外側かつ長手方向外側に広がり、次に締結具９５４まで長手方向外側に広がる。
【００５７】
図１０は、締結具１０５４及び固定サブシステム１０６１を有する側部耳部１０５３を示し、側部耳部１０５３は再利用可能外側カバー１０２１の後部から剥離されて示されている。固定サブシステム１０６１は、１つのＳＡＭを含む。ＳＡＭは、後部に始まり、横方向外側に広がり、次に締結具１０５４まで横方向外側かつ長手方向内側に広がる。
【００５８】
外側カバーなどの吸収性物品の構成要素が洗濯可能であるか、耐洗濯性であるかを決定するために、構成要素は、以下に示す選択したパラメーター及び置換を伴う、ＡＡＴＣＣ（Ａｍｅｒｉｃａｎ  Ａｓｓｏｃｉａｔｉｏｎ  ｏｆ  Ｔｅｘｔｉｌｅ  Ｃｈｅｍｉｓｔｓ  ａｎｄ  Ｃｏｌｏｒｉｓｔｓ）試験法１２４−２００１の方法に従って、洗濯機で洗浄され乾燥機で乾燥される。
【００５９】
ＡＡＴＣＣ試験法１２４−２００１
ａ）第６項Ａｐｐａｒａｔｕｓ  ａｎｄ  ｍａｔｅｒｉａｌｓにより、自動洗濯機としてＫｅｎｍｏｒｅ  ６００（Ｈｅａｖｙ  Ｄｕｔｙ−Ｓｕｐｅｒ  Ｃａｐａｃｉｔｙ  Ｐｌｕｓ−Ｑｕｉｅｔ  Ｐａｋ）を用い、自動回転式乾燥機としてＭａｙｔａｇ  Ｃｏｍｍｅｒｃｉａｌ（例えば、型番ＭＤＥ２７ＭＮＡＣＷ、ＭＤＥ１５ＭＮＡＹＷ、及びＭＤＥ１３ＭＮＡＣＷ）を用いる。
ｂ）第６項Ａｐｐａｒａｔｕｓ  ａｎｄ  ｍａｔｅｒｉａｌｓの記載とは異なり、以下のバラストを用いる。スレッドカウント６０×６０、重量１５１ｇｓｍ、及び寸法１６．８メートル（５５フィート）×９９．１ｃｍ（３９インチ）の天竺木綿である、Ｔｅｓｔｆａｂｒｉｃｓ，Ｉｎｃ，（Ｗｅｓｔ  Ｐｉｔｔｓｔｏｎ，ＰＡ）のＴｅｓｔ  Ｆａｂｒｉｃ  ｓｔｙｌｅ  ４９３。
ｃ）第６項Ａｐｐａｒａｔｕｓ  ａｎｄ  ｍａｔｅｒｉａｌｓの記載とは異なり、評価範囲は第６．７項に従って構成せず、第６．８項の装置を用いない。その代わりに、正常視力を有する人がはっきりと見える、典型的な人工照明条件（例えば蛍光灯）下で全ての視覚評価を行う。
ｄ）第７項Ｔｅｓｔ  Ｓｐｅｃｉｍｅｎの記載とは異なり、試験される構成要素は、（必要に応じて）吸収性物品の他の部分を完全に除き、（その除去が許す範囲で）その構成要素を無傷の完全体として試験する。同種の構成要素を３つまで同時に洗濯する。
ｅ）第８．２．２項の洗濯機洗浄に関して、水の量について洗濯機の「多い」設定を用い、洗浄温度を３２＋／−３℃（９０＋／−５°Ｆ）に、すすぎ温度を１６＋／−３℃（６０＋／−５°Ｆ）に選択する。
ｆ）第８．２．２項の設定に関して、洗浄時間１２分、初回脱水時間６分、再注水時間４分、すすぎ時間５分、最終脱水時間６分である、Ｎｏｒｍａｌ／Ｃｏｔｔｏｎ  Ｓｔｕｒｄｙを選択する。
ｇ）第８．３項のＤｒｙｉｎｇに関して、Ｃｏｔｔｏｎ  Ｓｔｕｒｄｙ及びＷｈｉｔｅｓ  ＆  Ｃｏｌｏｒｓを選択する。
ｈ）第８．５項の記載とは異なり、コンディショニング及びプレコンディショニング工程は行わない。
ｉ）第９項のＥｖａｌｕａｔｉｏｎの記載とは異なり、これらの評価工程は行わない。その代わりに、試験される構成要素は当業者により評価され、この試験により、目的とする機能性及び／又は用途に好適ではない状態になるような物品の外観又は性能の顕著な劣化がなかったかを決定する。
【００６０】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００６１】
あらゆる相互参照又は関連特許若しくは特許出願を含む、本明細書に引用される文献は全て、明白に除外さもなくば限定されている場合を除いて、本明細書中にその全容を援用するものである。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００６２】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005591826.tif 000002
【図２】
0005591826.tif 000003
【図３】
0005591826.tif 000004
【図４】
0005591826.tif 000005
【図５】
0005591826.tif 000006
【図６】
0005591826.tif 000007
【図７】
0005591826.tif 000008
【図８】
0005591826.tif 000009
【図９】
0005591826.tif 000010
【図１０】
0005591826.tif 000011